(57)【特許請求の範囲】
【請求項１】
スネアワイヤの位置をドラムヘッドの表面から離間したオフ位置と前記ドラムヘッドの表面と接するオン位置とに切り替えるスネアドラムのストレイナーシステムにおいて、
前記スネアワイヤが取り付けられ、前記ドラムヘッドの表面に沿って延びると共に一対の端部を有するフレームであって、前記フレームは、平行に配置される一対のロッドと、前記両ロッドに固定された一対のフックとを有しているフレームと、
前記フレームの各端部に連結され、前記フレームの各端部を前記スネアドラムのシェルにそれぞれ取り付けるための一対のリンク機構と、
前記スネアワイヤの位置を前記オフ位置と前記オン位置とに切り替えるとき操作される操作部とを備え、
前記操作部は、前記一対のリンク機構のうちの一方に設けられ、前記両リンク機構のうち一方は前記フレームの第１端部に接続される第１リンク部材を有し、他方は前記フレームの第２端部に接続される第２リンク部材を有し、前記各リンク部材は、略Ｌ字状をなす一対のアームと、前記両アームの先端を繋ぐ係止バーとを有し、前記一対のアームは、対応するリンク機構に対し回動可能に連結され、前記アームの回動により、前記リンク部材の係止バーは前記フレームのフックに係脱されることを特徴とするスネアドラムのストレイナーシステム。
【請求項２】
請求項１記載のスネアドラムのストレイナーシステムにおいて、
前記オン位置に配置されたスネアワイヤの前記ドラムヘッドに対する位置を調整する調整機構を備えていることを特徴とするスネアドラムのストレイナーシステム。
【請求項３】
請求項２記載のスネアドラムのストレイナーシステムにおいて、
前記操作部及び前記調整機構は、前記フレームの第２端部に装着されるリンク部材を共有し、前記操作部の操作に伴い、前記リンク部材は、前記オフ位置に対応する第１位置と前記オン位置に対応する第２位置との間で移動し、
前記調整機構の操作に伴い、前記リンク部材は、前記第２位置を基準として上下方向に移動することを特徴とするスネアドラムのストレイナーシステム。
【請求項４】
請求項３記載のスネアドラムのストレイナーシステムにおいて、
前記操作部は、操作スイッチ、及び前記リンク部材に連結されたカムを備え、前記操作スイッチの操作に伴う動作が前記カムを介して上下運動に変換されることにより、前記リンク部材が前記第１位置と前記第２位置との間で移動することを特徴とするスネアドラムのストレイナーシステム。
【請求項５】
請求項４記載のスネアドラムのストレイナーシステムにおいて、
前記調整機構は、前記シェルに固定されるベースと、前記ベースに調整ネジを介して支持され、かつ前記カムに連結されるスライダとを備え、前記スライダに対する前記調整ネジの螺合量を変更することにより、前記ベースに対して前記スライダ及び前記カムが上下方向に移動することによって、前記リンク部材が前記第２位置を基準として上下方向に移動することを特徴とするスネアドラムのストレイナーシステム。
【請求項６】
請求項１〜５のうちいずれか一項に記載のスネアドラムのストレイナーシステムにおいて、
前記フレームの各端部は、前記各リンク機構に連結された状態で、前記シェルに対し弾性的に保持されていることを特徴とするスネアドラムのストレイナーシステム。
【請求項７】
請求項６記載のスネアドラムのストレイナーシステムにおいて、
前記フレームの各端部をそれぞれ前記ドラムヘッドの表面から離間する方向に付勢する一対の付勢手段を備えていることを特徴とするスネアドラムのストレイナーシステム。
【請求項８】
請求項１〜７のうちいずれか一項に記載のスネアドラムのストレイナーシステムにおいて、
前記各リンク機構は、前記フレームの対応する端部に対し係脱可能であることを特徴とするスネアドラムのストレイナーシステム。
【請求項９】
請求項１〜８のうちいずれか一項に記載のスネアドラムのストレイナーシステムにおいて、
前記スネアワイヤは、複数の響線と、前記各響線の各端部を互いに連結する一対の取付具とを有し、
前記フレームは、前記各取付具に設けられた孔にそれぞれ係止される一対の突起を有していることを特徴とするスネアドラムのストレイナーシステム。
【請求項１０】
請求項１〜９のうちいずれか一項に記載のスネアドラムのストレイナーシステムにおいて、
前記フレームは、前記フレームに取り付けられたスネアワイヤの張力を変更可能な張力変更手段を備えていることを特徴とするスネアドラムのストレイナーシステム。
【請求項１１】
請求項１０記載のスネアドラムのストレイナーシステムにおいて、
前記張力変更手段は、前記ドラムヘッドの表面に沿って延びる一対のロッドと、前記両ロッドに対し摺動可能に支持され、前記スネアワイヤの各端部がそれぞれ取り付けられる一対の移動部材とを備え、前記両ロッドに対する前記各移動部材の位置が調節可能であることを特徴とするスネアドラムのストレイナーシステム。
【請求項１２】
円筒状のシェルと、前記シェルの上下の開口端をそれぞれ閉塞する一対のドラムヘッドと、スネアワイヤの位置を前記ドラムヘッドの表面から離間したオフ位置と前記ドラムヘッドの表面と接するオン位置とに切り替えるストレイナーシステムとを備えたスネアドラムであって、前記ストレイナーシステムは、
前記スネアワイヤが取り付けられ、前記ドラムヘッドの表面に沿って延びると共に一対の端部を有するフレームであって、前記フレームは、平行に配置される一対のロッドと、前記両ロッドに固定された一対のフックとを有しているフレームと、
前記フレームの各端部に連結され、前記フレームの各端部を前記スネアドラムのシェルにそれぞれ取り付けるための一対のリンク機構と、
前記スネアワイヤの位置を前記オフ位置と前記オン位置とに切り替えるとき操作される操作部とを備え、
前記操作部は、前記一対のリンク機構のうちの一方に設けられ、前記両リンク機構のうち一方は前記フレームの第１端部に接続される第１リンク部材を有し、他方は前記フレームの第２端部に接続される第２リンク部材を有し、前記各リンク部材は、略Ｌ字状をなす一対のアームと、前記両アームの先端を繋ぐ係止バーとを有し、前記一対のアームは、対応するリンク機構に対し回動可能に連結され、前記アームの回動により、前記リンク部材の係止バーは前記フレームのフックに係脱されることを特徴とするスネアドラム。
【発明の詳細な説明】
【技術分野】
【０００１】
本発明は、スネアドラムのストレイナーシステム及びそのストレイナーシステムを備えたスネアドラムに関する。
【背景技術】
【０００２】
スネアドラムは、円筒状のシェルと、シェルの上下の開口端にそれぞれ装着された一対のドラムヘッドと、下方のドラムヘッドの表面に沿って張設されるスネアワイヤとを備えている。スネアワイヤは、ドラムヘッドに当接した状態で、ドラムヘッドが叩打されたときに振動する。このスネアワイヤをシェルに保持するための構造として、ベルトや紐などを用いたものが知られている。この保持構造の欠点として、スネアワイヤの張力とドラムヘッドに対するスネアワイヤの接触圧とを別々に調節できないことや、スネアワイヤの張力によってストレイナーの操作がし難くなることが挙げられる。また、ドラムヘッドからスネアワイヤを離間させるとスネアワイヤの張力が維持できなくなり、スネアワイヤによるノイズが発生し易くなることも挙げられる。これらの欠点を解消するため、スネアワイヤをフレームに取り付け、そのフレームをシェルに装着する方法が提案されている（例えば、特許文献１又は特許文献２参照）。しかしながら、特許文献１又は２に開示の方法によれば、ベルトや紐などを用いてフレームをシェルに保持することから、ドラムヘッドに対しスネアワイヤを均一に接触させることができる一方、例えばドラムヘッドの交換のためフレームをシェルから外したり、シェルに装着したりする際の作業が面倒であった。この問題を解消するため、フレームをシェルに保持するためのフレーム保持機構を備えたストレイナーシステムも提案されている（例えば、特許文献３〜特許文献５参照）。
【特許文献１】実公昭４３−２２０７３号公報
【特許文献２】米国特許第３９８１２２０号明細書
【特許文献３】実開昭６０−１６３４９９号公報
【特許文献４】実開昭６０−１６３５００号公報
【特許文献５】特許第３９０２２１３号公報
【発明の開示】
【発明が解決しようとする課題】
【０００３】
スネアドラムの演奏時、スネアワイヤによる音の応答性や響きを良くするには、ドラムヘッドの表面に対しスネアワイヤを均一に接触させることが好ましい。しかしながら、特許文献３〜５に開示のストレイナーシステムの場合、ドラムヘッドの表面に対しスネアワイヤを平行にすることができず、ドラムヘッドの表面に対しスネアワイヤを均一に接触させることができない場合がある。このため、フレームの第１端部及び第２端部のドラムヘッドに対する位置を調整する調整機構が、フレームの各端部に対応してそれぞれ設けられている。この種のストレイナーシステムによれば、ドラムヘッドに対するスネアワイヤの接触圧を調節するため、２箇所で各調整機構を操作してフレームの位置を調整する必要がある。しかしながら、演奏者にとってはその操作が面倒であり、かつフレームの位置が調節し難いという問題があった。
【０００４】
本発明は、このような問題に鑑みてなされたものであり、その目的は、ドラムヘッドに対するスネアワイヤの位置を変更する際の操作性が向上するスネアドラムのストレイナーシステム及びそのストレイナーシステムを備えたスネアドラムを提供することにある。
【課題を解決するための手段】
【０００５】
上記の目的を達成するために、請求項１に記載の発明は、スネアワイヤの位置をドラムヘッドの表面から離間したオフ位置とドラムヘッドの表面と接するオン位置とに切り替えるスネアドラムのストレイナーシステムにおいて、スネアワイヤが取り付けられ、ドラムヘッドの表面に沿って延びると共に一対の端部を有するフレームであって、フレームは、平行に配置される一対のロッドと、両ロッドに固定された一対のフックとを有しているフレームと、フレームの各端部に連結され、フレームの各端部をスネアドラムのシェルにそれぞれ取り付けるための一対のリンク機構と、スネアワイヤの位置をオフ位置とオン位置とに切り替えるとき操作される操作部とを備え、操作部は、一対のリンク機構のうちの一方に設けられ、両リンク機構のうち一方はフレームの第１端部に接続される第１リンク部材を有し、他方はフレームの第２端部に接続される第２リンク部材を有し、各リンク部材は、略Ｌ字状をなす一対のアームと、両アームの先端を繋ぐ係止バーとを有し、一対のアームは、対応するリンク機構に対し回動可能に連結され、アームの回動により、リンク部材の係止バーはフレームのフックに係脱されることを要旨とする。
【０００６】
スネアドラムの演奏時、スネアワイヤによる音の応答性や響きを良くするには、ドラムヘッドの表面に対しスネアワイヤを均一に接触させることが好ましい。その点、この構成によれば、一対のリンク機構のうちの一方に設けられた操作部を操作することによって、ドラムヘッドの表面に対しスネアワイヤを均一に接触させることができる。よって、ドラムヘッドに対するスネアワイヤの位置を変更する際の操作性が向上する。
【０００７】
請求項２に記載の発明は、請求項１記載の発明において、オン位置に配置されたスネアワイヤのドラムヘッドに対する位置を調整する調整機構を備えていることを要旨とする。
この構成によれば、調整機構を操作することによって、オン位置に配置されたスネアワイヤのドラムヘッドに対する接触圧を調節することができる。
【０００８】
請求項３に記載の発明は、請求項２記載の発明において、操作部及び調整機構は、フレームの第２端部に装着されるリンク部材を共有し、操作部の操作に伴い、リンク部材は、オフ位置に対応する第１位置とオン位置に対応する第２位置との間で移動し、調整機構の操作に伴い、リンク部材は、第２位置を基準として上下方向に移動することを要旨とする。
【０００９】
この構成によれば、リンク部材を上下方向に移動させることによって、スネアワイヤのオン又はオフの切り替えと、ドラムヘッドに対するスネアワイヤの接触圧の調整とを行うことができる。つまり、調整機構と操作部とで部品の共通化を図ることができ、ストレイナーシステムの構成を簡素化することができる。
【００１０】
請求項４に記載の発明は、請求項３記載の発明において、操作部は、操作スイッチ、及びリンク部材に連結されたカムを備え、操作スイッチの操作に伴う動作がカムを介して上下運動に変換されることにより、リンク部材が第１位置と第２位置との間で移動することを要旨とする。
【００１１】
この構成によれば、カムの使用により、第１位置と第２位置との間でリンク部材を移動させるための構成を簡素化することができる。
請求項５に記載の発明は、請求項４記載の発明において、調整機構は、シェルに固定されるベースと、ベースに調整ネジを介して支持され、かつカムに連結されるスライダとを備え、スライダに対する調整ネジの螺合量を変更することにより、ベースに対してスライダ及びカムが上下方向に移動することによって、リンク部材が第２位置を基準として上下方向に移動することを要旨とする。
【００１２】
この構成によれば、調整ネジ及びスライダからなるネジ機構の使用により、第２位置を基準としてリンク部材を上下方向に移動させるための構成を簡素化することができる。また、ネジを回してスネアワイヤの位置を調節することにより、ドラムヘッドに対するスネアワイヤの接触圧を容易に、かつ小さい変化幅で調整することができる。
【００１３】
請求項６に記載の発明は、請求項１〜５のうちいずれか一項に記載の発明において、フレームの各端部は、各リンク機構に連結された状態で、シェルに対し弾性的に保持されていることを要旨とする。
【００１４】
この構成によれば、フレームの両端がシェルに対し弾性的に保持されることによって、ドラムヘッドの表面に対しフレームを平行にしたまま上昇又は下降させることができる。これにより、スネアワイヤの位置をオフ位置からオン位置に切り替えるとき、ドラムヘッドに対しスネアワイヤを擦らないようにすることができる。よって、ドラムヘッドとスネアワイヤとの接触によるノイズの発生を極力抑えることができる。
【００１５】
請求項７に記載の発明は、請求項６記載の発明において、フレームの各端部をそれぞれドラムヘッドの表面から離間する方向に付勢する一対の付勢手段を備えていることを要旨とする。
【００１６】
この構成によれば、付勢手段によって、フレームの両端をシェルに対し弾性的に、かつ安定的に保持することができる。なお、付勢手段の具体的な構成として、例えば、安価で、かつ入手し易いコイルばねなどが挙げられる。
【００１７】
請求項８に記載の発明は、請求項１〜７のうちいずれか一項に記載の発明において、各リンク機構は、フレームの対応する端部に対し係脱可能であることを要旨とする。
この構成によれば、ドラムヘッドの交換やチューニングのため、スネアドラムのシェルからスネアワイヤを着脱する際の作業性が向上する。
【００１８】
請求項９に記載の発明は、請求項１〜８のうちいずれか一項に記載の発明において、スネアワイヤは、複数の響線と、各響線の各端部を互いに連結する一対の取付具とを有し、フレームは、各取付具に設けられた孔にそれぞれ係止される一対の突起を有していることを要旨とする。
【００１９】
この構成によれば、スネアワイヤの両端の孔にフレームの突起を係止させるだけで、スネアワイヤをフレームに取り付けることができる。また、スネアワイヤの両端はフレームの一対の突起により点で支持されるため、スネアワイヤはドラムヘッドの表面に対し追従するように接触する。これにより、ドラムヘッドに対してスネアワイヤをより確実に接触させることができる。
【００２０】
請求項１０に記載の発明は、請求項１〜９のうちいずれか一項に記載の発明において、フレームは、フレームに取り付けられたスネアワイヤの張力を変更可能な張力変更手段を備えていることを要旨とする。
【００２１】
この構成によれば、張力変更手段によって、フレームに取り付けられたスネアワイヤの張力を調節することができる。つまり、ドラムヘッドに対するスネアワイヤの接触圧とスネアワイヤの張力とを別々に調節することのできるストレイナーシステムを提供することができる。
【００２２】
請求項１１に記載の発明は、請求項１０記載の発明において、張力変更手段は、ドラムヘッドの表面に沿って延びる一対のロッドと、両ロッドに対し摺動可能に支持され、スネアワイヤの各端部がそれぞれ取り付けられる一対の移動部材とを備え、両ロッドに対する各移動部材の位置が調節可能であることを要旨とする。
【００２３】
この構成によれば、両ロッドに対する各移動部材の位置を調節することによって、両移動部材に取着されたスネアワイヤの張力を調節することができる。
請求項１２に記載の発明は、円筒状のシェルと、シェルの上下の開口端をそれぞれ閉塞する一対のドラムヘッドと、スネアワイヤの位置をドラムヘッドの表面から離間したオフ位置とドラムヘッドの表面と接するオン位置とに切り替えるストレイナーシステムとを備えたスネアドラムであって、ストレイナーシステムは、スネアワイヤが取り付けられ、ドラムヘッドの表面に沿って延びると共に一対の端部を有するフレームであって、フレームは、平行に配置される一対のロッドと、両ロッドに固定された一対のフックとを有しているフレームと、フレームの各端部に連結され、フレームの各端部をスネアドラムのシェルにそれぞれ取り付けるための一対のリンク機構と、スネアワイヤの位置をオフ位置とオン位置とに切り替えるとき操作される操作部とを備え、操作部は、一対のリンク機構のうちの一方に設けられ、両リンク機構のうち一方はフレームの第１端部に接続される第１リンク部材を有し、他方はフレームの第２端部に接続される第２リンク部材を有し、各リンク部材は、略Ｌ字状をなす一対のアームと、両アームの先端を繋ぐ係止バーとを有し、一対のアームは、対応するリンク機構に対し回動可能に連結され、アームの回動により、リンク部材の係止バーはフレームのフックに係脱されることを要旨とする。
【００２４】
この構成によれば、請求項１に係る発明と同等の作用効果を得ることができる。
【発明の効果】
【００２５】
本発明によれば、ドラムヘッドに対するスネアワイヤの位置を変更する際の操作性が向上するスネアドラムのストレイナーシステム及びそのストレイナーシステムを備えたスネアドラムを提供することができる。
【発明を実施するための最良の形態】
【００２６】
以下、本発明に係るスネアドラムのストレイナーシステムを具体化した一実施形態について、図１〜図７を参照して説明する。
図１に示すように、スネアドラム１０は、円筒形のシェル１１と、シェル１１の上開口端を塞ぐ打面ヘッド１２ａと、シェル１１の下開口端を塞ぐ裏面ヘッド１２ｂと、裏面ヘッド１２ｂの表面に沿って張設されるスネアワイヤ１３と、スネアワイヤ１３の位置を裏面ヘッド１２ｂから離間したオフ位置と裏面ヘッド１２ｂと接するオン位置とに切り替えるストレイナーシステム１５とを備えている。スネアワイヤ１３の位置がオン位置に切り替えられた状態で打面ヘッド１２ａが叩打されると、打面ヘッド１２ａ及び裏面ヘッド１２ｂと共にスネアワイヤ１３が振動して、スネアドラム１０に特有の振動音が発生する。
【００２７】
シェル１１の両開口端には、環状のフープ１６がそれぞれ設けられている。各ドラムヘッド１２ａ，１２ｂは、フープ１６を介して、シェル１１の各開口端に支持されている。シェル１１の外周面には、各フープ１６を固定するための複数のラグ１７と、複数のラグボルト１８とがそれぞれ設けられている。各ラグ１７の孔に挿入された各ラグボルト１８を締め付けたり、緩めたりすることにより、各ドラムヘッド１２ａ，１２ｂの張力が変更されて、スネアドラム１０の音調が調節される。
【００２８】
図１及び図２に示すように、スネアワイヤ１３は、複数の金属製の響線２０と、各響線２０の両端部を互いに連結する一対の取付具２１とを備えている。スネアワイヤ１３の各取付具２１には、丸い孔２１ａが設けられている。ストレイナーシステム１５は、上記のように構成されたスネアワイヤ１３が取り付けられるフレーム１４を備えている。フレーム１４は、裏面ヘッド１２ｂの表面に沿って延びると共に一対の端部を有している。フレーム１４は、平行に配置される一対のロッド２３と、両ロッド２３の各端部に固定された一対のブラケット２４と、両ロッド２３に対し摺動可能に装着された一対の移動部材２５と、両ロッド２３に対する移動部材２５の位置を調節する一対の調節ネジ２６と、両ロッド２３に対し固定された一対のフック２７とを備えている。本実施形態において、一対のロッド２３、一対の移動部材２５、及び調節ネジ２６によって、フレーム１４に取り付けられたスネアワイヤ１３の張力を変更可能な張力変更手段と、裏面ヘッド１２ｂに対するスネアワイヤ１３の横方向の位置を変更可能な位置変更手段とが構成されている。
【００２９】
各ブラケット２４は、断面逆Ｌ字状を有し、別のブラケット２４と対向する向きに配置されている。各移動部材２５には、両ロッド２３が挿通される一対の孔２５ａが設けられている。また、各移動部材２５の上面には、スネアワイヤ１３の各取付具２１の孔２１ａに係止される突起２５ｂと、スネアワイヤ１３の各取付具２１を下方から支持する支持突起２５ｃとが設けられている。各移動部材２５の端面には、ブラケット２４の外面から挿通された調節ネジ２６が螺合されるネジ穴（図示せず）が設けられている。調節ネジ２６を回して移動部材２５に対する螺合量を変更することにより、移動部材２５が両ロッド２３の軸線に沿って移動する。また、各フック２７は、断面コ字状をなし、両ロッド２３の端部よりも中央に近い位置に設けられている。各フック２７の両側壁には、下方に開口した半円形状の係止穴２７ａが設けられている。
【００３０】
ストレイナーシステム１５は、上記のように構成されたフレーム１４の両端をシェル１１に連結する一対のリンク機構３１，４１を備えている。第１リンク機構３１は、フレーム１４の第１端部（図１に示す左端）をシェル１１に取り付ける。第２リンク機構４１は、フレーム１４の第２端部（図１に示す右端）をシェル１１に取り付ける。第１及び第２リンク機構３１，４１は、シェル１１の外周面において、裏面ヘッド１２ｂの中心に対し対称となる位置に設けられている。
【００３１】
図３、図５，図６に示すように、第１リンク機構３１は、シェル１１の外周面に固定されるベース３２と、下面が閉塞された四角筒状のガイド部材３３と、フレーム１４の第１端部に接続される第１リンク部材３４とを備えている。ベース３２は、上下に延びる四角筒状の保持部３２ａを備えている。保持部３２ａ内には、ガイド部材３３が収容されている。ガイド部材３３の両側壁には、上下に延びるガイド溝３３ａがそれぞれ設けられている。両ガイド溝３３ａには、横方向の延びる支持軸３５が貫通して配置されている。この支持軸３５を介して、ガイド部材３３は、ベース３２の保持部３２ａに対し摺動可能に支持されている。また、ガイド部材３３内には、コイルばね３６が、支持軸３５とガイド部材３３の下壁とにより圧縮された状態で配置されている。このコイルばね３６によって、ガイド部材３３は下方に常時付勢されている。
【００３２】
支持軸３５の両端は、保持部３２ａの両側面から横方向にそれぞれ突出している。そして、支持軸３５の両端には、第１リンク部材３４が回動可能に連結されている。第１リンク部材３４は、略Ｌ字状をなす一対のアーム３４ａと、両アーム３４ａの先端を繋ぐ係止バー３４ｂとを備えている。両アーム３４ａの上端は、支持軸３５の両端に対し回動可能にそれぞれ連結されている。係止バー３４ｂは、フレーム１４の第１端部付近のフック２７の係止穴２７ａに対し係脱される。フレーム１４の第１端部は、ガイド部材３３により下方に付勢されると共に、フック２７に係止バー３４ｂを係止させることによって、第１リンク機構３１から外れないように保持される。
【００３３】
図４〜図７に示すように、第２リンク機構４１は、第１ベース４２、第２ベース４３、ガイド部材４４、リンク組立体４５、スイッチレバー４６、及び調整ネジ４７を備えている。第１ベース４２は、断面略Ｃ字状をなし、第１ベース４２の上端及び下端が内側に折り曲げられている。第１ベース４２の上下各端部は、シェル１１の内側から挿入されたボルトによってシェル１１の外周面に固定されている。第１ベース４２は、その両側縁の中央に、横方向に突出した一対の取付部４２ａを有している。
【００３４】
第２ベース４３は、略箱状をなしている。第２ベース４３は、両側壁の側縁に横方向に突出した一対の取付部４３ａを有している。第２ベース４３は、各取付部４３ａの前面から挿入された一対のボルトによって、第１ベース４２の両取付部４２ａに取り付けられる。第２ベース４３の上面には、調整ネジ４７のネジ部が挿通される挿通孔４３ｂが設けられている。第２ベース４３の両側壁の先端には、横方向に延びる支持軸４８が支持されている。また、第２ベース４３において、スイッチレバー４６と面する側壁には、四角形状のゴム板４９が固着されている。
【００３５】
ガイド部材４４は、下面が閉塞された四角筒状をなしている。ガイド部材４４の両側壁には、上下に延びるガイド溝４４ａがそれぞれ設けられている。両ガイド溝４４ａには、支持軸４８が貫通して配置されている。この支持軸４８を介して、ガイド部材４４は、第２ベース４３の両側壁間に対し摺動可能に支持されている。また、ガイド部材４４内には、コイルばね５０が、支持軸４８とガイド部材４４の下壁とにより圧縮された状態で配置されている。第１リンク機構３１のガイド部材３３と同様に、コイルばね５０によって、ガイド部材４４は下方に常時付勢されている。なお、第２リンク機構４１のコイルばね５０は、第１リンク機構３１のコイルばね３６と同じ弾性係数を有している。
【００３６】
リンク組立体４５は、スライダ５４と、一対のカムプレート５５と、フレーム１４の第２端部に接続される第２リンク部材５６とを備えている。スライダ５４は、下面が開口された略箱状をなしている。スライダ５４の上面には、調整ネジ４７の先端が螺合されるネジ孔５４ｂが設けられている。スライダ５４の両側壁には、斜めに延びるスライド溝５４ａと、スイッチレバー４６との連結に用いられる連結孔５４ｃとが設けられている。両スライド溝５４ａには、横方向に延びる連結軸５８が貫通して配置されている。連結軸５８の両端は、スライダ５４の両側壁から横方向にそれぞれ突出している。
【００３７】
連結軸５８の両端には、カムプレート５５の上端が回動可能にそれぞれ連結されている。各カムプレート５５は、略Ｖ字状をなしている。各カムプレート５５の中央部分は、第２ベース４３の支持軸４８に対し連結されている。また、各カムプレート５５の下端は、支持軸６０を介して、第２リンク部材５６の上端に対し回動可能に連結されている。つまり、各カムプレート５５は、上端、中央部分及び下端の３箇所において、スライダ５４、第２ベース４３及び第２リンク部材５６に対しそれぞれ回動可能に連結されている。第２リンク部材５６は、略Ｌ字状をなす一対のアーム５６ａと、両アーム５６ａの先端を繋ぐ一本の係止バー５６ｂとを備えている。両アーム５６ａの上端は、支持軸６０の両端に対し回動可能にそれぞれ連結されている。係止バー５６ｂは、フレーム１４の第２端部付近のフック２７の係止穴２７ａに対し係脱される。フレーム１４の第２端部は、ガイド部材４４により下方に付勢されると共に、フック２７に係止バー５６ｂを係止させることによって、第２リンク機構４１から外れないように保持される。
【００３８】
スイッチレバー４６は、一対のリンク部品６２を介して、スライダ５４の連結軸５８に対し回動可能に連結されている。また、スイッチレバー４６は、連結軸６３を介して、スライダ５４の両連結孔５４ｃに対し回動可能に連結されている。スイッチレバー４６は、スネアワイヤ１３の位置を裏面ヘッド１２ｂから離間したオフ位置と裏面ヘッド１２ｂと接するオン位置とに切り替えるときに操作される。具体的には、スイッチレバー４６の上端を図５に示すように押し下げると、フレーム１４が第１位置に配置されると共に、スネアワイヤ１３が裏面ヘッド１２ｂの表面から離間したオフ位置に配置される。一方、スイッチレバー４６の上端を図６に示すように押し上げると、フレーム１４が第２位置に配置されると共に、スネアワイヤ１３が裏面ヘッド１２ｂの表面と接するオン位置に配置される。なお、本実施形態において、スネアワイヤ１３の位置をオン位置又はオフ位置に切り替える操作部は、スイッチレバー４６、カムプレート５５、及び第２リンク部材５６を備えている。
【００３９】
ストレイナーシステム１５の作用について図２、図５及び図６を参照して説明する。
まず、図２に示すように、スネアワイヤ１３をフレーム１４に取り付ける。具体的には、スネアワイヤ１３の各取付具２１をフレーム１４の各移動部材２５に取り付ける。
【００４０】
次に、スネアワイヤ１３が取り付けられたフレーム１４をスネアドラム１０のシェル１１に装着する。具体的には、図５に示すように、第１リンク機構３１側では、フレーム１４の一方のブラケット２４をガイド部材３３の下面に当接させる。そして、その状態で、第１リンク部材３４を図５に示す反時計回りに回動させて、係止バー３４ｂをフレーム１４のフック２７に係止させる。また、第２リンク機構４１側では、フレーム１４の他方のブラケット２４をガイド部材４４の下面に当接させる。そして、その状態で、第２リンク部材５６を図５に示す時計回りに回動させて、係止バー５６ｂをフレーム１４の他方のフック２７に係止させる。このような操作により、第１及び第２リンク機構３１、４１を介して、フレーム１４の各端部がスネアドラム１０のシェル１１にそれぞれ取り付けられる。この状態で、フレーム１４は第１位置に配置され、スネアワイヤ１３は裏面ヘッド１２ｂの表面から離れたオフ位置に配置されている。
【００４１】
次に、スイッチレバー４６の上端を図６に示すように押し上げて、フレーム１４上のスネアワイヤ１３の位置を裏面ヘッド１２ｂの表面と接するオン位置に切り替える。具体的には、スイッチレバー４６をその裏面が第２ベース４３のゴム板４９と接する位置まで回動させる。スイッチレバー４６の回動に伴い、スイッチレバー４６にリンク部品６２を介して連結された連結軸５８がスライド溝５４ａ内を上方に移動する。連結軸５８の上昇に伴い、連結軸５８に連結されたカムプレート５５が支持軸４８を中心に反時計回りに回動する。カムプレート５５の回動に伴い、カムプレート５５の下端に連結された第２リンク部材５６が上方に移動し、それにより、第２リンク部材５６に保持されたフレーム１４の第２端部が持ち上げられる。このとき、第２リンク部材５６によるフレーム１４の上昇と共に、第１リンク部材３４に保持されたフレーム１４の第１端部も持ち上げられる。こうして、フレーム１４は第１位置から第２位置に配置されると共に、スネアワイヤ１３はオフ位置からオン位置に配置される。
【００４２】
フレーム１４を第１位置から第２位置に移動させる際、第１リンク機構３１では、フレーム１４の第１端部がコイルばね３６により下方に付勢され、第２リンク機構４１では、フレーム１４の第２端部がコイルばね５０より下方に付勢されている。このように、フレーム１４の両端がコイルばね３６，５０により付勢されているため、両リンク機構３１，４１によりフレーム１４が持ち上げられるとき、フレーム１４が裏面ヘッド１２ｂの表面に対し平行にされ、スネアワイヤ１３も裏面ヘッド１２ｂの表面に対し平行にされている。
【００４３】
スネアワイヤ１３をオン位置に配置した後、裏面ヘッド１２ｂに対するスネアワイヤ１３の接触圧を調整するため、第２リンク機構４１の調整ネジ４７を回して、第２リンク部材５６により保持されたフレーム１４を上昇又は下降させる。具体的には、調整ネジ４７を回してスライダ５４に対する螺合量を変更することにより、第２ベース４３に対してスライダ５４が上昇又は下降する。これに伴い、スライダ５４に連結された両カムプレート５５、両カムプレート５５に連結された第２リンク部材５６が共に上昇又は下降し、第２リンク部材５６に保持されたフレーム１４が上昇又は下降する。こうして、フレーム１４が第２位置を基準として上昇又は下降することにより、裏面ヘッド１２ｂに対するスネアワイヤ１３の接触圧が調整される。スネアワイヤ１３の接触圧の調整に加え、フレーム１４の両端にある調節ネジ２６を操作することにより、両移動部材２５間の距離を変更してスネアワイヤ１３の張力を調節したり、両移動部材２５の位置を変更してスネアワイヤ１３の横方向の位置を調節したりする。なお、本実施形態において、裏面ヘッド１２ｂに対するスネアワイヤ１３の接触圧を調整する調整機構は、第１及び第２ベース４２，４３、調整ネジ４７、スライダ５４、カムプレート５５、第２リンク部材５６を備えている。
【００４４】
本実施形態によれば、以下のような効果を得ることができる。
（１）スネアドラム１０の演奏時、スネアワイヤ１３による音の応答性や響きを良くするには、裏面ヘッド１２ｂの表面に対しスネアワイヤ１３を均一に接触させることが好ましい。その点、本実施形態によれば、一対のリンク機構３１，４１のうちの一方をストレイナーとしての機能させることにより、シェル１１の外径やフレーム１４の長さなどの寸法誤差に関係なく、裏面ヘッド１２ｂの表面に対しスネアワイヤ１３を均一に接触させることができる。よって、裏面ヘッド１２ｂに対するスネアワイヤ１３の位置を変更する際の操作性が向上する。
【００４５】
（２）ストレイナーとして機能する第２リンク機構４１は、オン位置に配置されたスネアワイヤ１３の裏面ヘッド１２ｂに対する位置を調整する調整機構を備えている。この構成によれば、スネアワイヤ１３の位置をオン位置又はオフ位置に切り替える操作と、スネアワイヤ１３の位置をオン位置に切り替えた後、裏面ヘッド１２ｂに対するスネアワイヤ１３の接触圧を調節する操作とを、第２リンク機構側４１のみの１箇所で行うことができる。よって、裏面ヘッド１２ｂに対するスネアワイヤ１３の位置を変更する際の操作性が一層向上する。
【００４６】
（３）第２リンク機構４１は、フレーム１４の第２端部に装着される第２リンク部材５６を備えている。この第２リンク部材５６を上下方向に移動させることによって、スネアワイヤ１３のオン又はオフの切り替えと、裏面ヘッド１２ｂに対するスネアワイヤ１３の接触圧の調整とを行うことができる。このように、第２リンク機構４１を構成する一つの部品を用いて、スネアワイヤ１３のオン・オフ操作とスネアワイヤ１３の接触圧の調整とを行うことができる。これにより、部品の共通化を図ることができ、ひいてはストレイナーシステム全体の構成を簡素化することができる。
【００４７】
（４）ストレイナーは、スイッチレバー４６、及び第２リンク部材５６に連結されたカムプレート５５を備えている。そして、スイッチレバー４６の操作に伴う回動動作がカムプレート５５を介して上下運動に変換されて、第２リンク部材５６が第１位置と第２位置との間で移動する。この場合、カムプレート５５の使用により、第１位置と第２位置との間で第２リンク部材５６を上下方向に移動させるための構成を簡素化することができる。
【００４８】
（５）調整機構は、第１及び第２ベース４２，４３と、第２ベース４３に調整ネジ４７を介して支持され、かつカムプレート５５に連結されるスライダ５４とを備えている。この場合、調整ネジ４７及びスライダ５４からなるネジ機構の使用により、第２位置を基準として第２リンク部材５６を上下方向に移動させるための構成を簡素化することができる。また、調整ネジ４７を回してスネアワイヤ１３の位置を調節することにより、裏面ヘッド１２ｂに対するスネアワイヤ１３の接触圧を容易に、かつ小さい変化幅で調整することができる。
【００４９】
（６）両リンク機構３１，４１によりフレーム１４の両端がシェル１１に対し弾性的に保持されているため、裏面ヘッド１２ｂの表面に対しフレーム１４を平行にして上昇又は下降させることができる。これにより、裏面ヘッド１２ｂに対しスネアワイヤ１３を平行にして接触させることができ、裏面ヘッド１２ｂに対するスネアワイヤ１３の接触圧を均一にすることができる。よって、スネアワイヤ１３の音の応答性や響きを良くすることもできる。また、スネアワイヤ１３の位置をオフ位置からオン位置に切り替えるとき、裏面ヘッド１２ｂに対しスネアワイヤ１３を擦らないようにすることができる。よって、裏面ヘッド１２ｂとスネアワイヤ１３との接触によるノイズの発生を極力抑えることができる。
【００５０】
（７）第１リンク機構３１では、フレーム１４の第１端部がコイルばね３６によって下方に付勢され、第２リンク機構４１では、フレーム１４の第２端部がコイルばね５０よって下方に付勢されている。この構成によれば、両コイルばね３６，５０の付勢力によりフレーム１４の両端がシェル１１に対し弾性的に、かつ安定的に保持されるため、裏面ヘッド１２ｂに対しスネアワイヤ１３を平行にして接触させることが容易になる。また、コイルばね３６，５０は安価で、かつ入手しやすいため、製造コストの上昇を抑制することもできる。
【００５１】
（８）第１リンク機構３１では、第１リンク部材３４の係止バー３４ｂがフレーム１４の第１端部付近のフック２７に対し係脱され、第２リンク機構４１では、第２リンク部材５６の係止バー５６ｂがフレーム１４の第２端部付近のフック２７に対し係脱される。この構成によれば、裏面ヘッド１２ｂの交換やチューニングのため、シェル１１からスネアワイヤ１３を着脱する際の作業性が向上する。
【００５２】
（９）フレーム１４の各移動部材２５の上面には、スネアワイヤ１３の各取付具２１の孔２１ａに係止される突起２５ｂが設けられている。この構成によれば、スネアワイヤ１３の両端の孔２１ａにフレーム１４の一対の突起２５ｂを係止させるだけで、スネアワイヤ１３をフレーム１４に取り付けることができる。また、スネアワイヤ１３の両端はフレーム１４の一対の突起２５ｂにより点で支持されため、スネアワイヤ１３は裏面ヘッド１２ｂの表面に対し追従するように接触する。これにより、裏面ヘッド１２ｂに対してスネアワイヤ１３をより確実に接触させることができる。
【００５３】
（１０）フレーム１４は、一対のロッド２３と、両ロッド２３に対し摺動可能に装着された一対の移動部材２５と、両ロッド２３に対する移動部材２５の位置を調節する調節ネジ２６とを備えている。この構成によれば、調節ネジ２６により両ロッド２３に対する各移動部材２５の位置を変更することによって、両移動部材２５間の距離を調節することができ、両移動部材２５に取着されたスネアワイヤ１３の張力を調節することができる。つまり、裏面ヘッド１２ｂに対するスネアワイヤ１３の接触圧とスネアワイヤ１３の張力とを別々に調節することができる。また、両ロッド２３に対する各移動部材２５の位置を変更することによって、シェル１１の口径やスネアワイヤ１３の寸法などに応じて、裏面ヘッド１２ｂに対するスネアワイヤ１３の横方向の位置を調節することができる。
【００５４】
なお、上記実施形態は以下のように変更してもよい。
・本実施形態において、フレーム１４に代えて、図８に示すフレーム８０を用いてもよい。フレーム８０は、一対のロッド８３と、両ロッド８３の各端部に固定された一対のブラケット８４と、両ロッド２３に対し摺動可能に装着された一つのヘッド８５と、両ロッド８３に対するヘッド８５の位置を調節する調節ネジ８６と、両ロッド２３に対し固定された一対のフック８７と、スネアワイヤ１３の各端部が支持される一対の支持板８８ａ，８８ｂとを備えている。第１支持板８８ａは、ベルト８９を介してブラケット８４の下部に固定され、第２支持板８８ｂは、ベルト８９を介してヘッド８５に固定されている。調節ネジ８６を回してヘッド８５に対する螺合量を変更することにより、ヘッド８５が両ロッド８３の軸線に沿って移動する。このように、調節ネジ８６により両ロッド８３に対するヘッド８５の位置を変更することによって、両支持板８８ａ，８８ｂ間の距離が調節され、両支持板８８ａ，８８ｂに取着されたスネアワイヤ１３の張力が調節される。
【００５５】
・本実施形態において、両リンク機構３１，４１からコイルばね３６，５０を省略してもよい。この場合、裏面ヘッド１２ｂに対しフレーム１４の第１端部側のスネアワイヤ１３を接触させたまま、フレーム１４の第２端部を上昇させることにより、裏面ヘッド１２ｂに対しスネアワイヤ１３の全体を接触させることができる。
【００５６】
・本実施形態において、コイルばね３６，５０に代えて、例えば、板ばね、ゴム、ウレタンなどの弾性部材を用いてもよい。
・本実施形態において、ボルトなどを用いて各リンク部材３４，５６をフレーム１４の対応する端部に固定してもよい。
【００５７】
・本実施形態において、スネアワイヤ１３の両端の孔２１ａにフレーム１４の一対の突起２５ｂを係止させていたが、ボルトなどを用いてスネアワイヤ１３をフレーム１４に固定したり、スネアワイヤ１３をフレーム１４と一体に形成したりしてもよい。
【００５８】
・本実施形態において、フレーム１４上に取り付けられたスネアワイヤ１３の張力を変更可能であったが、このような機能をフレーム１４から省略してもよい。
・本実施形態において、フレーム１４の第１及び第２端部のうちの一方から、スネアワイヤ１３の張力を変更する張力変更手段、及びスネアワイヤ１３の横方向の位置を変更する位置変更手段を削除してもよい。
【００５９】
・本実施形態において、各リンク部材３４，５６の先端を延長すると共に、延長された各リンク部材３４，５６の係止バー３４ｂ，５６ｂと対応する位置にフック２７をそれぞれ設けることによって、フレーム１４をその各端部よりも中央に近い位置で支持するようにしてもよい。
【００６０】
・本実施形態において、裏面ヘッド１２ｂに対するスネアワイヤ１３の接触圧を調整する調整機構を、フレーム１４の第１端部を保持する第１リンク機構３１に設けてもよい。
・本実施形態において、第１及び第２リンク機構３１，４１は、シェル１１の外周面において対応する２箇所にそれぞれ着脱可能であってもよい。このようにすれば、スネアドラム１０を床や机などに載置する場合、裏面ヘッド１２ｂの下側に配置されたリンク部材３４，５６により裏面ヘッド１２ｂが損傷を受けたり、破損したりするといった不具合を防止できる。
【００６１】
・本実施形態において、ストレイナーとして機能する第２リンク機構４１に、第２リンク部材５６を上下に移動させる構成として、カム機構以外の任意の機構を採用することができる。
【図面の簡単な説明】
【００６２】
【図１】本実施形態のストレイナーシステムを備えたスネアドラムを裏側から見た斜視図。
【図２】スネアワイヤ及びフレームを示す斜視図。
【図３】ストレイナーシステムの第１リンク機構を拡大して示す部分正面図。
【図４】ストレイナーシステムの第２リンク機構を拡大して示す部分正面図。
【図５】スネアワイヤの位置がオン位置に切り替えられた状態を示す断面図。
【図６】スネアワイヤの位置がオフ位置に切り替えられた状態を示す断面図。
【図７】第２リンク機構の分解斜視図。
【図８】別例のフレームを示す側面図。
【符号の説明】
【００６３】
１０…スネアドラム、１１…シェル、１２ａ…打面ヘッド（ドラムヘッド），１２ｂ…裏面ヘッド（ドラムヘッド）、１３…スネアワイヤ、１４…フレーム、１５…ストレイナーシステム、２０…響線、２１…取付具、２１ａ…孔、２３…ロッド、２４…ブラケット、２５…移動部材、２５ｂ…突起、２６…調節ネジ、３１…第１リンク機構、３４…第１リンク部材、３６，５０…コイルばね（付勢手段）、４１…第２リンク機構、４２…第１ベース、４３…第２ベース、４６…スイッチレバー、４７…調整ネジ、５４…スライダ、５５…カムプレート、５６…第２リンク部材。
【図１】
0004607167.tif 000002
【図２】
0004607167.tif 000003
【図３】
0004607167.tif 000004
【図４】
0004607167.tif 000005
【図５】
0004607167.tif 000006
【図６】
0004607167.tif 000007
【図７】
0004607167.tif 000008
【図８】
0004607167.tif 000009